(57)【要約】【課題】  ボーダーやトリム等の装飾布を簡単に取り替えることができ、様々な雰囲気や印象のカーテンを簡単に演出できるようにする。【解決手段】  着せ替えカーテン１の側縁に、複数のスナップ１５を縫い付ける。また、ボーダー２に、複数のスナップ１６を縫い付ける。着せ替えカーテン１の上にボーダーやトリム２を置き、スナップ１５とスナップ１６とを係合させ、着せ替えカーテン１にボーダーやトリム２を着脱自在に取り付ける。ボーダーやトリム２がワンタッチで簡単に取り替えることができるので、同じカーテン生地のカーテンでも、違う雰囲気のカーテンを簡単に演出できる。また、季節に合わせて、ボーダーやトリム２を取り替えることができる。【選択図】        図１
2006167051.tif 000002
【特許請求の範囲】
【請求項１】
カーテンの縁部に修飾布を結合手段により着脱自在に取り付けるようにしたことを特徴とする着せ替えカーテン。
【請求項２】
前記結合手段は、スナップであることを特徴とする請求項１に記載の着せ替えカーテン。
【請求項３】
前記結合手段は、マジックテープ（登録商標）であることを特徴とする請求項１に記載の着せ替えカーテン。
【請求項４】
前記結合手段は、ファスナーであることを特徴とする請求項１に記載の着せ替えカーテン。
【請求項５】
前記カーテンの修飾布は、ボーダーであることを特徴とする請求項１に記載の着せ替えカーテン。
【請求項６】
前記カーテンの修飾布は、トリムであることを特徴とする請求項１に記載の着せ替えカーテン。
【発明の詳細な説明】
【技術分野】
【０００１】
本発明は、着せ替えカーテンに関するもので、特に、ボーダーやトリム等の修飾布を簡単に取り替えることができるようにしたものに関する。
【背景技術】
【０００２】
カーテンの雰囲気や印象は、カーテンに取り付けられたボーダーやトリム等により変わってくる。同じ生地のカーテンであっても、ボーダーやトリムを取り替えてみると、今までのカーテンとは違った印象に見えることがある。購入したカーテンが各自の部屋の雰囲気や嗜好に合っていなかったり、今までのカーテンが飽きたりしたときには、ボーダーやトリムを取り替えることで、新鮮な印象のカーテンに蘇らせることができる。また、ボーダーやトリムを季節毎に取り替えるようにすると、季節にふさわしい雰囲気のカーテンを楽しめる。ボーダーを有するカーテンについては、例えば、特許文献１に記載されている。
【特許文献１】実用新案登録第３０９１７９１号公報
【発明の開示】
【発明が解決しようとする課題】
【０００３】
しかしながら、従来では、特許文献１に示されるように、ボーダーはカーテン生地に縫い付けられている。このように、ボーダーはカーテンに固定されているために、簡単に取り替えることは困難である。
【０００４】
本発明は、上述の従来のカーテンを鑑み、ボーダーやトリム等の装飾布を簡単に取り替えることができるようにした着せ替えカーテンを提供することを目的とする。なお、本明細書でいうカーテンには、カーテンの上部を覆うように設けられる上飾りを含むものとする。
【課題を解決するための手段】
【０００５】
上述の課題を解決するために、本発明に係る着せ替えカーテンは、カーテンの修飾布を結合手段により着脱自在に取り付けるようにしたことを特徴とする。
【０００６】
好ましくは、結合手段は、スナップ、マジックテープ（登録商標）、またはファスナーであることを特徴とする。
【０００７】
好ましくは、カーテンの修飾布は、ボーダーまたはトリムであることを特徴とする。
【発明の効果】
【０００８】
本発明によれば、カーテンの修飾布を結合手段により着脱自在に取り付けるようにしているので、ボーダーやトリムを、ワンタッチで簡単に取り替えることができる。同じカーテン生地のカーテンでも、ボーダーやトリムを取り替えることで、違う雰囲気のカーテンを演出できる。また、季節にふさわしいボーダーやトリムを取り揃えておき、季節に合わせて、ボーダーやトリムを取り替えることができる。
【０００９】
また、本発明によれば、結合手段は、スナップや、マジックテープや、ファスナーであるので、ボーダーやトリムをワンタッチで簡単に取り替えることができる。
【００１０】
また、本発明によれば、カーテンの修飾布は、カーテンの縁部を修飾するボーダーやトリムであり、これらを取り替えることで、違う雰囲気のカーテンを演出できる。
【発明を実施するための最良の形態】
【００１１】
第１実施形態．
以下、本発明の実施の形態について図面を参照しながら説明する。図１は、本発明の第１の実施形態を示すものである。
【００１２】
図１において、着せ替えカーテン１は、カーテン生地１０を縫製して形成される。カーテン生地１０は、綿やウール等の天然繊維、又はナイロン繊維やポリエステル繊維等の合成繊維からなり、各種の色や柄が施されている。カーテン生地の色や柄としては、柄を織り込んだもの、プリント柄によるもの等、多種多様である。
【００１３】
カーテン生地１０の天部１１には、複数の天部ひだが形成され、また、カーテン生地１０の天部１１には、芯地が取り付けられ、ここに、吊りフック（図示せず）が取り付けられる。また、カーテン生地１０の裾部１２は、裾縫いされている。
【００１４】
このようにして縫製された着せ替えカーテン１の側縁に、ボーダーOLE_LINK2またはトリムOLE_LINK2２が結合手段により着脱自在に取り付けられる。ここで、結合手段は、２つの部材を互いに係合させることにより着脱自在に結合させるものである。
【００１５】
図２は、結合手段としてスナップを用いた場合を示すものである。図２に示すように、着せ替えカーテン１の側縁に沿って、複数のスナップ（凹側のスナップ）１５が一列に縫い付けられる。また、ボーダー２には、複数のスナップ（凸側のスナップ）１６が一列に縫い付けられる。図２においては、複数のスナップ１５、１６は１列に配列されているが、ボーダーまたはトリム２の幅が広いときには、複数のスナップ１５、１６は２列またはそれ以上の列で構成することもできる。スナップ１５及び１６としては、金属製のスナップを用いても良いし、ＦＡＳＮＡＰ（登録商標）と呼ばれる合成樹脂製のスナップが用いても良い。着せ替えカーテン１の側縁に設けれたOLE_LINK1スナップ１５OLE_LINK1上に、ボーダーまたはトリム２に設けられたスナップ１６を重ねて、スナップ１５及び１６を押して、スナップ１５及び１６を係合させることにより、着せ替えカーテン１の側縁に、ボーダーまたはトリム２が着脱自在に取り付けられる。なお、ボーダーまたはトリム２は裏側のスナップ１６が上に見えるような状態で示されている。
【００１６】
このように、この実施形態では、着せ替えカーテン１に、ボーダーまたはトリム２が着脱自在に取り付けられる。この例では、ボーダーまたはトリム２は、スナップ１５及び１６により取り付けられている。このため、ボーダーまたはトリム２を簡単に付け替えることができる。
【００１７】
図３（Ａ）及び図３（Ｂ）は、それぞれ同じ生地の着せ替えカーテン１に対して、異なるボーダーまたはトリム２を取り付けたときの様子を示すものである。ここでは、カーテンの形式は窓５を覆う両開きのカーテンとし、一方のカーテンは広げられ、他方のカーテンはタッセル４で纏められている。図３（Ａ）及び図３（Ｂ）に示すように、同じ生地の着せ替えカーテン１でも、ボーダーまたはトリム２を取り替えると、雰囲気の異なるカーテンとなる。購入したカーテンが各自の部屋の雰囲気や嗜好に合っていなかったり、今までのカーテンが飽きたりしたときには、ボーダーまたはトリム２を取り替えることで、新鮮な印象のカーテンに蘇らせることができる。
【００１８】
また、例えば、夏は涼しげな色、秋はシックな色というように、季節にふさわしいボーダーまたはトリム２を取り揃えておき、季節毎にボーダーまたはトリム２を取り替えるようにすると、季節毎にカーテンの装飾を楽しめる。また、クリスマスの柄や、お正月の柄等のボーダーまたはトリム２を用意するようにしても良い。更に、有名ブランドのボーダーまたはトリムや、イベントの記念や土産物のボーダーまたはトリム２を用意することもできる。
【００１９】
ボーダーまたはトリム２の取付位置としては、図４（Ａ）に示すように、着せ替えカーテン１の一方の側縁に取り付ける他、図４（Ｂ）に示すように、着せ替えカーテン１の裾部１２に取り付けるようにしても良い。また、図４（Ｃ）に示すように、着せ替えカーテン１の両方の側縁に取り付けるようにしても良い。その他、ボーダー２の取付方法は各種あり、本発明は、ボーダーまたはトリム２をどの位置に取り付ける場合にも適用できる。
【００２０】
また、ボーダーまたはトリム２は、図５（Ａ）に示すように、着せ替えカーテン１の表面１ａに取り付けるようにしても良いし、着せ替えカーテン１の裏面１ｂに取り付けるようにしても良い。また、着せ替えカーテン１の表面と裏面の双方に取り付けるようにしても良い。
【００２１】
第２実施形態．
図６は、本発明の第２実施形態を示すものである。この実施形態では、着せ替えカーテン１とボーダーまたはトリム２とを取り付ける結合手段としてマジックテープを用いている。
【００２２】
つまり、図６に示すように、着せ替えカーテン１の側縁に沿って、マジックテープ２１が取り付けられる。また、ボーダーまたはトリム２には、マジックテープ２２が取り付けられる。図６においては、マジックテープ２１、２２は１列に配列されているが、ボーダーまたはトリム２の幅が広いときには、マジックテープ２１、２２は、２列またはそれ以上の列で構成することもできる。このマジックテープ２１及び２２により、着せ替えカーテン１の側縁には、ボーダーまたはトリム２が着脱自在に取り付けられる。なお、ボーダーまたはトリム２は裏側のマジックテープ２２が上に見えるような状態で示されている。他の構成については、前述の第１実施形態と同様であり、その説明を省略する。
【００２３】
第３実施形態．
図７は、本発明の第３実施形態を示すものである。この実施形態では、着せ替えカーテン１とボーダーまたはトリム２とを取り付ける結合手段としてファスナーを用いている。
【００２４】
つまり、図７に示すように、着せ替えカーテン１の側縁に沿って、ファスナー３１が縫い付けられる。また、ボーダーまたはトリム２には、ファスナー３２が縫い付けられる。このファスナー３１及び３２により、着せ替えカーテン１の側縁には、ボーダーまたはトリム２が着脱自在に取り付けられる。他の構成については、前述の第１実施形態及び第２実施形態と同様であり、その説明を省略する。
【００２５】
第４実施形態．
図８は、本発明の第４実施形態を示すものである。前述の実施形態では、装飾布として、ボーダーまたはトリム２を着脱自在に取り付けて、ボーダーまたはトリム２を簡単に取り替えられるようにしている。これに対して、この第４実施形態では、上飾り３にボーダーまたはトリム２を着脱自在に簡単に取り替えられるようにしている。
【００２６】
図８（Ａ）は、着せ替えカーテン１の上部に上飾り３を設けた状態を示す図である。図８（Ｂ）は、図８（Ａ）に示す上飾り３にボーダーまたはトリム２を着脱自在に取り付けた状態を示す図である。ここで、ボーダーまたはトリム２は、上飾り３の縁部にスナップ、マジックテープ、ファスナー等の自在着脱手段により、着脱自在に取り付けられる。この実施形態では、上飾りにボーダーまたはトリム２を簡単に取り替えることができ、上飾りの雰囲気を季節等に応じて変えることができる。
【００２７】
なお、上述の例では、天部にひだを有するカーテンとしているが、本発明は、ひだ無しカーテンや、シェード等、どのようなスタイルのカーテンにでも適用できる。
【００２８】
本発明は、上述した実施形態に限定されるものではなく、本発明の要旨を逸脱しない範囲内で様々な変形や応用が可能である。
【産業上の利用可能性】
【００２９】
本発明は、ボーダーやトリム等の修飾布をカーテン（上飾りを含む）に取り付けるのに利用することができる。
【図面の簡単な説明】
【００３０】
【図１】本発明の第１実施形態の正面図である。
【図２】本発明の第１実施形態の説明に用いる斜視図である。
【図３】本発明の第１実施形態の説明に用いる正面図である。
【図４】本発明の第１実施形態の変形例の説明に用いる正面図である。
【図５】本発明の第１実施形態の変形例の説明に用いる斜視図である。
【図６】本発明の第２実施形態の説明に用いる斜視図である。
【図７】本発明の第３実施形態の説明に用いる斜視図である。
【図８】本発明の第４実施形態の説明に用いる正面図である。
【符号の説明】
【００３１】
１  着せ替えカーテン
２  ボーダーまたはトリム
３  上飾り
４  タッセル
１０  カーテン生地
１１  天部
１２  裾部
１５，１６  スナップ
２１，２２  マジックテープ
３１，３２  ファスナー
【図１】
2006167051.tif 000003
【図２】
2006167051.tif 000004
【図３】
2006167051.tif 000005
【図４】
2006167051.tif 000006
【図５】
2006167051.tif 000007
【図６】
2006167051.tif 000008
【図７】
2006167051.tif 000009
【図８】
2006167051.tif 000010
【手続補正書】
【提出日】平成17年3月3日(2005.3.3)
【手続補正１】
【補正対象書類名】特許請求の範囲
【補正対象項目名】請求項１
【補正方法】変更
【補正の内容】
【請求項１】
カーテン本体と、
前記カーテン本体の縁部に取り付けられ、前記カーテン本体の布地と色・模様が異なる装飾布とを備え、
前記装飾布を前記カーテン本体の縁に沿って結合手段により着脱自在に取り付ける
ようにしたことを特徴とする着せ替えカーテン。
【手続補正２】
【補正対象書類名】特許請求の範囲
【補正対象項目名】請求項３
【補正方法】変更
【補正の内容】
【請求項３】
前記結合手段は、面ファスナーであることを特徴とする請求項１に記載の着せ替えカーテン。
【手続補正３】
【補正対象書類名】明細書
【補正対象項目名】０００５
【補正方法】変更
【補正の内容】
【０００５】
上述の課題を解決するために、本発明に係る着せ替えカーテンは、カーテン本体と、カーテン本体の布地と色・模様が異なる装飾布とを備え、装飾布をカーテン本体の縁に沿って結合手段により着脱自在に取り付けるようにしたことを特徴とする。
【手続補正４】
【補正対象書類名】明細書
【補正対象項目名】０００６
【補正方法】変更
【補正の内容】
【０００６】
好ましくは、結合手段は、スナップ、面ファスナー、またはファスナーであることを特徴とする。
【手続補正５】
【補正対象書類名】明細書
【補正対象項目名】０００９
【補正方法】変更
【補正の内容】
【０００９】
また、本発明によれば、結合手段は、スナップや、マジックテープ（登録商標）等の面ファスナーや、ファスナーであるので、ボーダーやトリムをワンタッチで簡単に取り替えることができる。
【手続補正６】
【補正対象書類名】明細書
【補正対象項目名】０００８
【補正方法】変更
【補正の内容】
【０００８】
本発明によれば、カーテン本体と、カーテン本体の布地と色・模様が異なる装飾布とを備え、装飾布をカーテン本体の縁に沿って結合手段により着脱自在に取り付けるようにしているので、ボーダーやトリムを、ワンタッチで簡単に取り替えることができる。同じカーテン生地のカーテンでも、ボーダーやトリムを取り替えることで、違う雰囲気のカーテンを演出できる。また、季節にふさわしいボーダーやトリムを取り揃えておき、季節に合わせて、ボーダーやトリムを取り替えることができる。
【手続補正７】
【補正対象書類名】明細書
【補正対象項目名】００１４
【補正方法】変更
【補正の内容】
【００１４】
このようにして縫製された着せ替えカーテン１の側縁に、ボーダーまたはトリム２が結合手段により着脱自在に取り付けられる。ここで、結合手段は、２つの部材を互いに係合させることにより着脱自在に結合させるものである。
【手続補正８】
【補正対象書類名】明細書
【補正対象項目名】００１５
【補正方法】変更
【補正の内容】
【００１５】
図２は、結合手段としてスナップを用いた場合を示すものである。図２に示すように、着せ替えカーテン１の側縁に沿って、複数のスナップ（凹側のスナップ）１５が一列に縫い付けられる。また、ボーダー２には、複数のスナップ（凸側のスナップ）１６が一列に縫い付けられる。図２においては、複数のスナップ１５、１６は１列に配列されているが、ボーダーまたはトリム２の幅が広いときには、複数のスナップ１５、１６は２列またはそれ以上の列で構成することもできる。スナップ１５及び１６としては、金属製のスナップを用いても良いし、ＦＡＳＮＡＰ（登録商標）と呼ばれる合成樹脂製のスナップが用いても良い。着せ替えカーテン１の側縁に設けれたスナップ１５上に、ボーダーまたはトリム２に設けられたスナップ１６を重ねて、スナップ１５及び１６を押して、スナップ１５及び１６を係合させることにより、着せ替えカーテン１の側縁に、ボーダーまたはトリム２が着脱自在に取り付けられる。なお、ボーダーまたはトリム２は裏側のスナップ１６が上に見えるような状態で示されている。